【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
救助者が患者を人口蘇生するために用いる人口蘇生システムであって、
少なくとも２つの高電圧除細動電極と、
救助者に人口蘇生の注意喚起を与えるための回路を備える第１の電気ユニットと、
第１のユニットとは別個の第２の電気ユニットであって、電極に除細動パルスを与えるための回路を備える第２の電気ユニットと、
第１のユニットと第２のユニットとの間の少なくとも１つの電気的な接続を与えるための回路と、を備える人口蘇生システム。
【請求項２】
２つの電極および第１のユニットが、除細動電極パッド部品内に組み込まれている請求項１に記載の人口蘇生システム。
【請求項３】
前記除細動電極が、前記除細動電極パッド部品から着脱可能である請求項１に記載の人口蘇生システム。
【請求項４】
前記第１のユニットが、前記２つの電極とは別個であり、前記２つの電極に１つまたは複数のケーブルによって接続される請求項１に記載の人口蘇生システム。
【請求項５】
前記第１のユニットが、前記第２のユニットに電気的に接続されることなく、機能し、かつ人口蘇生の注意喚起を与えることができる請求項１に記載の人口蘇生システム。
【請求項６】
前記第１のユニットが、電力源およびプロセッサを備える請求項５に記載の人口蘇生システム。
【請求項７】
前記第１のユニットが、患者の少なくとも１つの生理的パラメータをモニタリングするための回路を有する請求項１に記載の人口蘇生システム。
【請求項８】
前記パラメータがＥＣＧ信号である請求項７に記載の人口蘇生システム。
【請求項９】
人口蘇生の注意喚起は、ＣＰＲの注意喚起を含む請求項１に記載の人口蘇生システム。
【請求項１０】
前記第１のユニットと前記第２のユニットとの間の少なくとも１つの電気的な接続を与えるための回路が、少なくとも１つのケーブルを備える請求項１に記載の人口蘇生システム。
【請求項１１】
前記第１のユニットと前記第２のユニットとの間の少なくとも１つの電気的な接続を与えるための回路が、少なくとも１つの無線接続を備える請求項１に記載の人口蘇生システム。
【請求項１２】
前記第２のユニットが、前記除細動電極に除細動パルスを伝える１つまたは複数のケーブルによって前記除細動電極に直接接続される請求項１に記載の人口蘇生システム。
【請求項１３】
前記第１のユニットと前記第２のユニットとの間の少なくとも１つの電気的な接続を与えるための回路が、前記第１のユニットに除細動パルスを送出するための少なくとも１つのケーブルを備え、除細動パルスは、前記第１のユニットから電極へ送出される請求項１に記載の人口蘇生システム。
【請求項１４】
前記ＥＣＧ信号は、前記除細動電極を用いて検出される請求項８に記載の人口蘇生システム。
【請求項１５】
前記第１のユニットが、人口蘇生の注意喚起を与えるためのスピーカを備える請求項１に記載の人口蘇生システム。
【請求項１６】
人口蘇生の注意喚起は、音声および視覚の注意喚起を含む請求項１に記載の人口蘇生システム。
【請求項１７】
前記第１のユニットが、ユニットを用いる間に記録される音を記憶するためのマイクロフォンおよび回路を備える請求項１に記載の人口蘇生システム。
【請求項１８】
前記除細動電極をサポートする電極パッド部品と、胸に対して上方への持ち上げ力を与えるために前記電極パッド部品に取り付けられた取っ手とを、さらに備える請求項１に記載の人口蘇生システム。
【請求項１９】
前記取っ手は、フレキシブルなシート材料を含む請求項１８に記載の人口蘇生システム。
【請求項２０】
取っ手は、実質的に硬い材料を含む請求項１８に記載の人口蘇生システム。
【請求項２１】
患者を人口蘇生するための人口蘇生システムであって、
患者が長時間着用するように構成された少なくとも２つの電気治療用電極と、
患者のＥＣＧをモニタリングするための回路と。
患者が着用するように構成された活動状態センサであって、患者の向きおよび現在の活動状態を推定することが可能な出力を与えることができる活動状態センサと、
前記活動状態センサの出力を分析することによって患者の向きおよび現在の活動状態を患者が心拍停止中でないときに推定すること、患者のＥＣＧを分析すること、および非治療的試験信号を前記電極に送出すべきかどうかを判定することを行うように構成される少なくとも１つのプロセッサと、を備える人口蘇生システム。
【請求項２２】
前記プロセッサが、患者が動いているかどうかを推定するように構成されている請求項２１に記載の人口蘇生システム。
【請求項２３】
前記活動状態センサが加速度計を備え、プロセッサが、加速度計の出力を積分して速度または変位の推定値を与えるように構成される請求項２２に記載の人口蘇生システム。
【請求項２４】
前記プロセッサが、前記活動状態センサの出力を処理すること、および処理の結果を用いて、患者の生理的な状態を決定するために使用される技術において、少なくとも１つの閾値を変更することを行なうように構成されている請求項２１に記載の人口蘇生システム。
【請求項２５】
生理的な状態は、切迫した心臓発作または心拍停止の危険度を決定することを含む請求項２４に記載の人口蘇生システム。
【請求項２６】
前記人口蘇生システムが、音声による注意喚起を患者に発するためのスピーカを含み、前記プロセッサが、患者の推定される現在の活動状態に基づいて音声による注意喚起の種類を決定する請求項２１に記載の人口蘇生システム。
【請求項２７】
患者の現在の活動状態は、患者の向きを推定することを含む請求項２１に記載の人口蘇生システム。
【請求項２８】
患者の向きを推定することは、患者が仰向けに寝ているかどうかを判定することを含む請求項２７に記載の人口蘇生システム。
【請求項２９】
前記電極が除細動電極であり、電気治療は除細動パルスを含む請求項２１に記載の人口蘇生システム。
【請求項３０】
患者を人口蘇生するための人口蘇生システムであって、
患者が長時間着用するように構成された少なくとも２つの電気治療用電極と、
患者のＥＣＧをモニタリングするための回路と、
患者が着用するように構成された活動状態センサであって、患者の現在の活動状態を推定することが可能な出力を与えることができる活動状態センサと、
前記活動状態センサの出力を分析することによって患者の現在の活動状態を患者が心拍停止中でないときに推定すること、患者のＥＣＧを分析すること、および患者の心拍停止の可能性が高まったかどうかを判定することを行うように構成される少なくとも１つのプロセッサと、を備える人口蘇生システム。
【請求項３１】
前記プロセッサが、患者の現在の活動状態に、増加した物理的な活動状態が含まれるかどうかを判定するように構成される請求項３０に記載の人口蘇生システム。
【請求項３２】
前記プロセッサが、患者の活動状態レベルを表わす活動状態レベル・パラメータを決定するように構成される請求項３０に記載の人口蘇生システム。
【請求項３３】
心拍停止の可能性が高まったかどうかを判定することが、活動状態レベル・パラメータおよび患者のＥＣＧから得られるパラメータに基づく請求項３２に記載の人口蘇生システム。
【請求項３４】
心拍停止の可能性が高まったかどうかを判定することが、活動状態レベル・パラメータおよび血圧の測定値に基づく請求項３２に記載の人口蘇生システム。
【請求項３５】
前記システムはさらに、少なくとも部分的には、患者の現在の活動状態の推定値に基づく時間にて少なくとも１つの試験パルスを電極を通して送出する能力を備え、試験パルスは、心室性期外収縮（ＶＰＢ）を生成するように構成されるタイプである請求項２１または３０に記載の人口蘇生システム。
【請求項３６】
患者の現在の活動状態の推定値に基づく時間が、朝、目が覚めた直後である請求項３５に記載の人口蘇生、システム。
【請求項３７】
試験パルスを送出する前に、システムが、患者に注意喚起を発して試験パルスの管理を要求し、システムは、患者が試験パルスの管理に対して承諾を示すことを待つ請求項３６に記載の人口蘇生システム。